【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  一つの昇降路内をガイドレールに沿って昇降する複数のかごに電力をそれぞれ供給する給電体と、
各前記かごにそれぞれ取り付けられ前記給電体からの電力を受電する受電体と、
前記給電体からの電力を各前記受電体に導く複数のケーブルとを備え、
各前記ケーブルは、一端部が各前記かごの側面に取り付けられているとともに、前記昇降路の内壁及びこの内壁と対向した各前記かごの側面の間に形成された隙間に、各かごの側面に沿ってそれぞれ配設されている複数かごエレベータ給電装置。
【請求項２】  一端部が第１のかごに取り付けられた第１のケーブルと、一端部が第２のかごに取り付けられた第２のケーブルとは、ガイドレールを境にしてそれぞれ配設されている請求項１に記載の複数かごエレベータ給電装置。
【請求項３】  第２のケーブルの一部は、昇降路の内壁及びかごの背面の間の隙間に設けられたカウンターの片側空間に配置されている請求項２に記載の複数かごエレベータ給電装置。
【手続補正２】
【補正対象書類名】明細書
【補正対象項目名】０００８
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
【課題を解決するための手段】
この発明に係る複数かごエレベータ給電装置は、一つの昇降路内をガイドレールに沿って昇降する複数のかごに電力をそれぞれ供給する給電体と、各前記かごにそれぞれ取り付けられ前記給電体からの電力を受電する受電体と、前記給電体からの電力を各前記受電体に導く複数のケーブルとを備え、各前記ケーブルは、一端部が各前記かごの側面に取り付けられているとともに、前記昇降路の内壁及びこの内壁と対向した各前記かごの側面の間に形成された隙間に、各かごの側面に沿ってそれぞれ配設されているものである。
【手続補正５】
【補正対象書類名】明細書
【補正対象項目名】００１２
【補正方法】変更
【補正の内容】
【００１２】
また、複数かごエレベータ給電装置では、一端部が第１のかごに取り付けられた第１のケーブルと、一端部が第２のかごに取り付けられた第２のケーブルとは、ガイドレールを境にしてそれぞれ配設されている。
【手続補正６】
【補正対象書類名】明細書
【補正対象項目名】００１３
【補正方法】変更
【補正の内容】
【００１３】
また、複数かごエレベータ給電装置では、第２のケーブルの一部は、昇降路の内壁及びかごの背面の間の隙間に設けられたカウンターの片側空間に配置されている。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００２０
【補正方法】変更
【補正の内容】
【００２０】
参考例１．
次に、本発明の参考例１の複数かごエレベータ給電装置について、図３（Ａ）、図３（Ｂ）を用いて説明する。
この複数かごエレベータ給電装置は、昇降路１００の上側に設けられた固定側給電体３と、この固定側給電体３に接続されたインバータ給電体１０と、インバータ給電体１０から昇降路１００の移動経路に沿って設けられた給電線１１と、昇降路１００内をガイドレール２に沿って走行する第１のかご１ａ及び第２のかご１ｂにそれぞれ取り付けられた第１及び第２の受電体５ａ、５ｂと、第１のかご１ａ及び第２のかご１ｂにそれぞれ取り付けられ給電線１１に非接触で近接させて電磁誘導により受電体５ａ、５ｂに電力をそれぞれ供給する高周波トランスによって構成された第１のピックアップ１２ａ及び第２のピックアップ１２ｂと、給電線１１に流れる電流が一定になるように制御する電流制御手段と、第１のピックアップ１２ａ、第２のピックアップ１２ｂと第１及び第２の受電体５ａ、５ｂとの間にそれぞれ配設されたバッテリー１３とを備えている。なお、バッテリー１３は必ずしもなくてもよい。また、かご１ａ、１ｂへの信号伝送は例えば電磁波を用いた非接触の信号伝送体２０が用いられている。
【手続補正１１】
【補正対象書類名】明細書
【補正対象項目名】００２６
【補正方法】変更
【補正の内容】
【００２６】
【発明の効果】
以上説明したように、この発明に係る複数かごエレベータ給電装置によれば、一つの昇降路内をガイドレールに沿って昇降する複数のかごに電力をそれぞれ供給する給電体と、各前記かごにそれぞれ取り付けられ前記給電体からの電力を受電する受電体と、前記給電体からの電力を各前記受電体に導く複数のケーブルとを備え、各前記ケーブルは、一端部が各前記かごの側面に取り付けられているとともに、前記昇降路の内壁及びこの内壁と対向した各前記かごの側面の間に形成された隙間に、各かごの側面に沿ってそれぞれ配設されているので、かご同士が近接しても、上側のケーブルが下側かごに接触するおそれはなく、一つのかごと比較して昇降路寸法も大きくせずしてケーブルが他のかごに接触することを防止することができる。
【手続補正１２】
【補正対象書類名】明細書
【補正対象項目名】００２７
【補正方法】変更
【補正の内容】
【００２７】
また、複数かごエレベータ給電装置では、一端部が第１のかごに取り付けられた第１のケーブルと、一端部が第２のかごに取り付けられた第２のケーブルとは、ガイドレールを境にしてそれぞれ配設されており、ガイドレールの設置により生じた隙間をケーブルの配置に利用しており、ケーブル用のスペースをわざわざ設ける必要性はない。
【手続補正１３】
【補正対象書類名】明細書
【補正対象項目名】００２８
【補正方法】変更
【補正の内容】
【００２８】
また、複数かごエレベータ給電装置では、第２のケーブルの一部は、昇降路の内壁及びかごの背面の間の隙間に設けられたカウンターの片側空間に配置されており、ケーブル用のスペースとして有効利用されている。
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】図面の簡単な説明
【補正方法】変更
【補正の内容】
【図面の簡単な説明】
【図１】図１は本発明の実施の形態１に係る複数かごエレベータ給電装置の概略構成を示す斜視図である。
【図２】  図２は図１の複数かごエレベータ給電装置の横断面図である。
【図３】  図３（Ａ）は本発明の参考例１に係る複数かごエレベータ給電装置の概略構成を示す斜視図、同図（Ｂ）は同図（Ａ）のピックアップの拡大図である。
【図４】  図４は図３の複数かごエレベータ給電装置の制御ブロック図である。
【図５】  図５は複数かごエレベータ給電装置の他の制御ブロック図である。
【図６】  図３の複数かごエレベータ給電装置の横断面図である。
【図７】  従来のエレベータ給電装置の概略構成を示す斜視図である。
【図８】  図７の複数かごエレベータ給電装置の横断面図である。
【図９】  従来のケーブル接続で複数かごに給電する場合の概略構成斜視図である。
【図１０】  図１０（Ａ）は図９の複数かごエレベータ給電装置の横断面図、同図（Ｂ）は同図（Ａ）のケーブルをかご側面側に配置した場合の横断面図である。
【図１１】  図１１（Ａ）は従来の非接触タイプのエレベータ給電装置の概略構成斜視図、同図（Ｂ）は同図（Ａ）のピックアップの拡大図である。
【図１２】  エレベータ給電装置の制御ブロック線図である。
【図１３】  （Ａ）、（Ｂ）はインバータ給電体の電気回路図である。
【符号の説明】
１ａ  第１のかご、１ｂ  第２のかご、２  ガイドレール、３  固定側給電体、４ａ  第１のケーブル、４ｂ  第２のケーブル、５ａ  第１の受電体、５ｂ  第２の受電体、１０  インバータ給電体、１１  給電線、１２ａ  第１のピックアップ、１２ｂ  第２のピックアップ、４３  ＬＣ回路、５０  カウンター、６１  ダミーピックアップ、１００  昇降路。